(57)【要約】【課題】端末装置との間で通信し、当該端末装置において符号化されたデータを受信する無線基地局装置で、ターボ復号の処理の負荷を低減させる。【解決手段】端末装置との間で無線により通信する無線通信手段４、５と、端末装置との間で有線により通信する有線通信手段４を備えた。復号方式判定手段１１が端末装置から受信される符号化データに対してターボ復号を行うか否かを判定し、通信判定手段１１が端末装置との間で有線通信が行われるか否かを判定し、データ取り出し手段１４がターボ復号を行うことが判定され且つ有線通信が行われることが判定された場合には端末装置から受信された符号化データに対してターボ復号を行う代わりに符号化前のデータが配置される当該符号化データ中の位置からデータを取り出す。【選択図】  図１
2009147510.tif 000002
【特許請求の範囲】
【請求項１】
端末装置との間で通信し、当該端末装置において符号化されたデータを受信する無線基地局装置において、
前記端末装置との間で無線により通信する無線通信手段と、
前記端末装置との間で有線により通信する有線通信手段と、
前記端末装置から受信される符号化データに対してターボ復号を行うか否かを判定する復号方式判定手段と、
前記端末装置との間で有線通信が行われるか否かを判定する通信判定手段と、
前記復号方式判定手段によりターボ復号を行うことが判定され且つ前記通信判定手段により有線通信が行われることが判定された場合には、前記有線通信手段により前記端末装置から受信された符号化データに対して、ターボ復号を行う代わりに、符号化前のデータが配置される当該符号化データ中の位置からデータを取り出すことを行うデータ取り出し手段と、
を備えたことを特徴とする無線基地局装置。
【発明の詳細な説明】
【技術分野】
【０００１】
本発明は、例えば、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）方式を使用するホームユース向けの無線基地局装置（ＢＴＳ：Ｂａｓｅ  Ｔｒａｎｓｃｅｉｖｅｒ  Ｓｔａｔｉｏｎ）に関し、特に、ターボ復号の処理の負荷を低減させる無線基地局装置（ＢＴＳ）に関する。
【背景技術】
【０００２】
例えば、無線基地局装置（ＢＴＳ）と携帯端末装置（ＭＳ：Ｍｏｂｉｌｅ  Ｓｔａｔｉｏｎ）との間でＷ−ＣＤＭＡ方式を使用して無線により通信する無線通信システムが実施されている。
ＢＴＳは、ＭＳと上位装置とを中継する装置である。上位装置としては、例えば、ＲＮＣ（Ｒａｄｉｏ  Ｎｅｔｗｏｒｋ  Ｃｏｎｔｒｏｌｌｅｒ）などがある。
【０００３】
近年、ホームユース向けの超小容量のＢＴＳ（以下で、ｆｅｍｔｏＢＴＳとも言う）が注目を浴びている。この超小容量としては、例えば、収容チャネル数が４ユーザ（４ｕｓｅｒ）である構成などが用いられる。
ｆｅｍｔｏＢＴＳは、ホームユース向けであるため、超小容量且つ安価でなければならないが、高速パケット通信であるＨＳＤＰＡ（Ｈｉｇｈ  Ｓｐｅｅｄ  Ｄｏｗｎｌｉｎｋ  Ｐａｃｋｅｔ  Ａｃｃｅｓｓ）或いはＨＳＵＰＡ（Ｈｉｇｈ  Ｓｐｅｅｄ  Ｕｐｌｉｎｋ  Ｐａｃｋｅｔ  Ａｃｃｅｓｓ）の通信カテゴリは、ホームユース環境においては全て適用可能でなければならない。
【０００４】
【特許文献１】特開２００４−１０４１７０号公報
【発明の開示】
【発明が解決しようとする課題】
【０００５】
しかしながら、上述のような既存のｆｅｍｔｏＢＴＳでは、通信カテゴリを全て網羅するためには、高価なＤＳＰ（Ｄｉｇｉｔａｌ  Ｓｉｇｎａｌ  Ｐｒｏｃｅｓｓｏｒ）等を使用することが必要となり、安価という面で折り合いがつかなかった、又は、安価にするためには、通信カテゴリに制約を設けざるをえなかった。つまり、全ての通信カテゴリに適用可能とすることと安価とすることの両立ができなかった。
【０００６】
なお、このような従来の無線通信システムは、概略的には、図２に示されるような構成で実現されていた。
ここで、図２は、後述する実施例で参照するものであり、ここでは、説明の便宜上から参照したが、本発明を不要に限定する意図はない。特に、従来では、図１に示されるようなＢＴＳ２１の構成は考え出されていなかった。
【０００７】
本発明は、上記のような従来の事情に鑑み為されたもので、ターボ復号の処理の負荷を低減させることにより、全ての通信カテゴリに適用可能とすることと安価とすることの両立を実現することができる無線基地局装置（ＢＴＳ）を提供することを目的とする。
【課題を解決するための手段】
【０００８】
上記目的を達成するため、本発明では、端末装置との間で通信し、当該端末装置において符号化されたデータを受信する無線基地局装置において、次のような構成とした。
すなわち、前記端末装置との間で無線により通信する無線通信手段と、前記端末装置との間で有線により通信する有線通信手段を備えた。
そして、復号方式判定手段が、前記端末装置から受信される符号化データに対してターボ復号を行うか否かを判定する。通信判定手段が、前記端末装置との間で有線通信が行われるか否かを判定する。データ取り出し手段が、前記復号方式判定手段によりターボ復号を行うことが判定され且つ前記通信判定手段により有線通信が行われることが判定された場合には、前記有線通信手段により前記端末装置から受信された符号化データに対して、ターボ復号を行う代わりに、符号化前のデータが配置される当該符号化データ中の位置からデータを取り出すことを行う。
【０００９】
従って、端末装置から有線通信で受信された符号化データに対してターボ復号を行うことが判定された場合には、ターボ復号を行う代わりに、受信された符号化データの中で符号化前のデータが配置される位置からデータを取り出して、取り出したデータを復号後のデータとみなして処理することが行われるため、ターボ復号の処理の負荷を低減させることができ、これにより、例えば、無線基地局装置（ＢＴＳ）において、（例えば、ホームユース向けの）全ての通信カテゴリに適用可能とすることと（例えば、プロセッサなどを）安価とすることの両立を実現することができる。
なお、一般に、有線通信が行われる場合には、無線通信が行われる場合と比べて、通信品質が良好であるため、ターボ復号の代わりに、データの取り出しを行っても、実用上で有効な品質の受信データを得ることができると考えられる。
【００１０】
ここで、端末装置や無線基地局装置としては、種々なものが用いられてもよく、例えば、ホームユース向けのものに適用することができる。
また、端末装置では、種々な符号化方式が用いられてもよく、例えば、ターボ符号化の方式や、畳み込み符号化の方式などを用いることができる。
また、無線の回線や、有線の回線としては、それぞれ、種々なものが用いられてもよい。
【００１１】
また、一般に、ターボ符号化では、符号化対象となるデータ（符号化前のデータ）が符号化後のデータ（符号化データ）の中に散りばめられ、具体例としては、符号化対象となるデータ列を構成する複数であるｎ個のデータ値が、符号化後のデータ列を構成する複数であるｍ個（ｍ＞ｎ）のデータ値の中の所定のｎ個の位置に配置される。受信側（ここでは、無線基地局装置）では、例えば、符号化前のデータが配置される符号化データ中の位置の情報を記憶するメモリなどの記憶手段を備えて、その記憶内容に基づいて、或いは、符号化前のデータが配置される符号化データ中の位置の情報を通信相手（ここでは、端末装置）などから受信する手段を備えて、その受信内容に基づいて、符号化データ中から符号化前のデータを取り出す。この場合、取り出す対象となるデータ部分に通信中などの誤りが発生したときには、そのデータ部分は誤ったデータのまま取り出されるが、有線通信であれば、実用上で有効な品質が確保されると考えられる。
【００１２】
また、受信される符号化データに対してターボ復号を行うか否かは、例えば、ユーザによる操作により入力される指示などに応じて判定されてもよく、或いは、予め設定された判定条件などに基づいて装置により自動的に判定されてもよい。
また、端末装置との間で有線通信が行われるか否かは、例えば、ユーザによる操作により入力される指示などに応じて判定されてもよく、或いは、予め設定された判定条件などに基づいて装置により自動的に判定されてもよい。
【００１３】
一構成例として、無線基地局装置は、無線通信するモードと有線通信するモードを切り替える通信モード切替手段を備える。
無線通信するモードと有線通信するモードとの切り替えは、例えば、ユーザによる操作により入力される指示などに応じて行われてもよく、或いは、予め設定された切り替え条件などに基づいて装置により自動的に行われてもよい。
【００１４】
一構成例として、無線基地局装置は、ターボ復号方式による復号を行うモード或いは他の復号方式による復号を行うモードを切り替える復号方式切替手段を備える。
ターボ復号方式による復号を行うモード或いは他の復号方式による復号を行うモードの切り替えは、例えば、ユーザによる操作により入力される指示などに応じて行われてもよく、或いは、予め設定された切り替え条件などに基づいて装置により自動的に行われてもよい。
また、ターボ復号方式以外の復号方式としては、種々なものが用いられてもよく、例えば、ビタビ復号方式などを用いることができる。
【００１５】
また、無線基地局装置は、例えば、受信された符号化データに対してターボ復号を行うターボ復号手段や、受信された符号化データに対して他の復号方式により復号を行う復号手段を備える。
ターボ復号手段は、例えば、復号方式判定手段によりターボ復号を行うことが判定され且つ通信判定手段により無線通信が行われることが判定された場合に、受信された符号化データに対してターボ復号を行う。
他の復号方式（ターボ復号方式以外の復号方式）による復号手段は、例えば、復号方式判定手段によりその復号方式による復号を行うことが判定された場合に、受信された符号化データに対してその復号方式により復号を行う。
【発明の効果】
【００１６】
以上説明したように、本発明に係る無線基地局装置によると、端末装置から有線通信で受信された符号化データに対してターボ復号を行うことが判定された場合には、ターボ復号を行う代わりに、受信された符号化データの中で符号化前のデータが配置される位置からデータを取り出して、取り出したデータを復号後のデータとみなして処理することが行われるため、ターボ復号の処理の負荷を低減させることができ、これにより、例えば、要求される全ての通信カテゴリに適用可能とすることと装置を安価とすることの両立を実現することができ、具体的には、装置を安価として、有線通信が行われるときに、要求される全ての通信カテゴリに適用可能とすることができる。
【発明を実施するための最良の形態】
【００１７】
本発明に係る実施例を図面を参照して説明する。
図１には、本発明の一実施例に係る無線基地局装置（ＢＴＳ）２１の構成例を示してある。
本例のＢＴＳ２１は、Ｗ−ＣＤＭＡ方式を使用するホームユース向けのｆｅｍｔｏＢＴＳである。そして、本例のＢＴＳ２１では、安価な処理機能（例えば、ＤＳＰなどのプロセッサ）を各種の処理を実行するために備えている。
【００１８】
本例のＢＴＳ２１は、制御部１と、符号部２と、拡散部３と、ＴＲＸ（送受信部）４と、アンテナ５と、有線接続口６と、逆拡散部７と、復号部８を備えている。
復号部８には、復号処理セレクタ部１１と、ビタビ復号処理部１２と、ターボ復号処理部１３と、データ取り出し処理部１４を備えている。
なお、本例では、前記のように各処理部を分離して示したが、上記のような安価な処理機能（例えば、１個のＤＳＰなどのプロセッサ）により、各処理部により行われる各種の処理を実行する構成となっている。但し、必ずしも、このような構成に限定されなくてもよい。
【００１９】
本例のＢＴＳ２１において行われる動作の一例を示す。
送信処理について説明する。
制御部１は、上位の装置であるＲＮＣと接続されており、ＲＮＣから送信されてきたデータを符号部２へ出力する。また、制御部１は、ＢＴＳ２１における各種の制御を行う。
符号部２は、制御部１から入力されたデータに対して所定の符号化方式を使用して符号化を行い、その結果のデータを拡散部３へ出力する。
拡散部３は、符号部２から入力されたデータに対してＣＤＭＡ方式の拡散処理を行い、その結果の拡散信号をＴＲＸ４へ出力する。
【００２０】
ＴＲＸ４は、拡散部３から入力された拡散信号に対して例えば増幅処理などを行い、その結果の信号をアンテナ５或いは有線接続口６へ出力する。
ここで、本例のＢＴＳ２１では、無線環境を使用して携帯端末装置（ＭＳ）との間で無線通信するモードと、有線のケーブルを使用してＭＳとの間で有線通信するモードが切り替えられる。このモードの切り替えは、例えば、人（ユーザ）がＢＴＳ２１に対して行う操作に応じて行われてもよく、或いは、ＢＴＳ２１により自動的に行われてもよい。
【００２１】
具体例として、ユーザがＢＴＳ２１に設けられたスイッチなどの所定の操作部を操作することによりモードの切り替えの指示を与えて、制御部１などがその指示に応じてＴＲＸ４に対してモードの切り替えを指示する構成や、或いは、ＢＴＳ２１のＴＲＸ４などが、有線接続口６に有線ケーブルが接続されているか否かを判定して、接続されている場合には有線通信するモードへ切り替え、他の場合には無線通信するモードへ切り替える構成や、或いは、ＢＴＳ２１のＴＲＸ４などが、ＭＳから受信される信号がアンテナ５から入力されることを判定した場合には無線通信するモードへ切り替え、ＭＳから受信される信号が有線接続口６から入力されることを判定した場合には有線通信するモードへ切り替える構成などを用いることができる。また、他の構成例として、送信対象となる信号をアンテナ５と有線接続口６の両方へ出力する構成を用いることも可能である。
【００２２】
アンテナ５は、ＴＲＸ４から入力された信号を無線により（本例では、ＭＳに対して）送信する。
有線接続口６は、ＴＲＸ４から入力された信号を（本例では、ＭＳに対して）当該有線接続口６に接続された有線ケーブルへ出力する。
【００２３】
受信処理について説明する。
アンテナ５は、（本例では、ＭＳからの）無線信号を受信して、受信した信号をＴＲＸ４へ出力する。
有線接続口６は、当該有線接続口６に接続された有線ケーブルを介して伝送されてきた（本例では、ＭＳからの）信号を受信して、受信した信号をＴＲＸ４へ出力する。
【００２４】
ＴＲＸ４は、アンテナ５或いは有線接続口６から入力された受信信号に対して増幅処理などを行い、その結果の信号を逆拡散部７へ出力する。
ここで、本例では、ＭＳから送信されてＢＴＳ２１により受信される信号は、ＭＳにおいて、畳み込み符号化方式或いはターボ符号化方式などの所定の符号化方式により送信対象となるデータが符号化された後にＣＤＭＡ方式により拡散処理された信号（拡散信号）である。
また、上記した送信処理の場合と同様に、受信処理においても、ＴＲＸ４におけるモード（無線通信するモード或いは有線通信するモード）の切り替えが行われてもよい。
【００２５】
逆拡散部７は、ＴＲＸ４から入力された拡散信号に対してＣＤＭＡ方式の逆拡散処理を行い、その結果のデータを復号部８へ出力する。
復号部８は、逆拡散部７から入力されたデータに対して、復号に関する所定の処理を行い、その結果のデータを制御部１へ出力する。
制御部１は、上位の装置であるＲＮＣと接続されており、復号部８から入力されたデータをＲＮＣへ出力する。また、制御部１は、ＢＴＳ２１における各種の制御を行う。
【００２６】
復号部８において行われる処理を詳しく説明する。
復号処理セレクタ部１１は、逆拡散部７から入力されたデータに対してビタビ復号を行うか或いはターボ復号を行うかを判定するとともに、無線通信するモードであるか或いは有線通信するモードであるかを判定する。
【００２７】
ここで、ビタビ復号を行うか或いはターボ復号を行うかの判定については、例えば、人（ユーザ）がＢＴＳ２１に対して行う操作に応じて行われてもよく、或いは、ＢＴＳ２１により自動的に行われてもよい。
具体例として、ユーザがＢＴＳ２１に設けられたスイッチなどの所定の操作部を操作することにより使用する復号方式（ビタビ復号方式或いはターボ復号方式）の切り替えの指示を制御部１或いは復号処理セレクタ部１１などに与えて、その指示に応じて判定を行う構成や、或いは、ＭＳにおいて送信する信号に復号方式を指示する情報を含めておいて、その指示に応じて判定を行う構成や、或いは、ＭＳから受信される信号のデータ誤り状況などを検出して、その検出結果に応じて判定を行う構成などを用いることができる。
【００２８】
また、無線通信するモードであるか或いは有線通信するモードであるかの判定については、例えば、人（ユーザ）がＢＴＳ２１に対して行う操作に応じて行われてもよく、或いは、ＢＴＳ２１により自動的に行われてもよい。
具体例として、ユーザがＢＴＳ２１に設けられたスイッチなどの所定の操作部を操作することによりモードの切り替えの指示を制御部１或いは復号処理セレクタ部１１などに与えて、その指示に応じて判定する構成や、或いは、ＢＴＳ２１のＴＲＸ４などが有線接続口６に有線ケーブルが接続されているか否かを判定して、接続されている場合には有線通信するモードであると判定し、他の場合には無線通信するモードであると判定する構成や、或いは、ＢＴＳ２１のＴＲＸ４などがＭＳから受信される信号がアンテナ５から入力されることを判定した場合には、無線通信するモードであると判定し、ＢＴＳ２１のＴＲＸ４などがＭＳから受信される信号が有線接続口６から入力されることを判定した場合には、有線通信するモードであると判定する構成などを用いることができる。
【００２９】
なお、復号方式（ビタビ復号方式或いはターボ復号方式）の判定や、モード（無線通信するモード或いは有線通信するモード）の判定は、例えば、復号処理セレクタ部１１により直接的に行われてもよく、或いは、他の処理部により直接的な判定が行われてその判定結果に基づいて復号処理セレクタ部１１により（その判定結果と同じ）判定が行われてもよい。
【００３０】
復号処理セレクタ部１１は、ビタビ復号を行うことを判定した場合には、有線通信するモードであっても無線通信するモードであっても、逆拡散部７から入力されたデータに対してビタビ復号処理部１２によりビタビ復号が行われるように制御し、その結果のデータを制御部１へ出力する。
【００３１】
また、復号処理セレクタ部１１は、ターボ復号を使用することを判定し、且つ、無線通信するモードであることを判定した場合には、逆拡散部７から入力されたデータに対してターボ復号処理部１３によりターボ復号が行われるように制御し、その結果のデータを制御部１へ出力する。
また、復号処理セレクタ部１１は、ターボ復号を使用することを判定し、且つ、有線通信するモードであることを判定した場合には、逆拡散部７から入力されたデータに対してデータ取り出し処理部１４によりデータ取り出し処理が行われるように制御し、その結果のデータを制御部１へ出力する。
【００３２】
ビタビ復号処理部１２は、逆拡散部７から入力されたデータに対してビタビ復号の処理を行う。
ターボ復号処理部１３は、逆拡散部７から入力されたデータに対してターボ復号の処理を行う。
データ取り出し処理部１４は、逆拡散部７から入力されたデータに対してデータ取り出しの処理を行う。
【００３３】
ここで、データ取り出しの処理としては、送信側であるＭＳにおいて送信対象となるデータが符号化されるときに、符号化前のデータが符号化後のデータの中に散りばめられて存在するような場合に、符号化後のデータの中から符号化前のデータの部分のみを取り出して、符号化前のデータを再生する処理が用いられる。本例では、ＭＳにおいて行われる符号化の方式の内容がＢＴＳ２１のデータ取り出し処理部１４などに予め或いは任意のときに設定されており、データ取り出し処理部１４では逆拡散部７から入力されるデータ（符号化後のデータ）の中のいずれの部分のデータを取り出すと符号化前のデータを再生する（なお、誤りが発生した部分は誤りが発生したまま再生する）ことができるかを把握している。
【００３４】
図２には、本例の通信システムにおいて、ＢＴＳ２１とＭＳ２２とが、無線環境を使用して、アンテナ５、３１により無線通信する状態（通常使用状態）の一例を示してある。
この通常使用状態は、例えば、従来における無線通信状態と同様であり、この状態では、無線環境において、ターボ復号に関する処理時間の低減が図られていないため、本例のように安価な処理機能では、全ての通信カテゴリを適用することができない。
【００３５】
図３には、本例の通信システムにおいて、ＢＴＳ２１とＭＳ２２とが、これらを接続する有線ケーブル２３を介して、有線通信する状態（有線使用状態）の一例を示してある。有線ケーブル２３は、ＢＴＳ２１の有線接続口６に接続されるとともに、ＭＳ２２の有線接続口に接続される。
この有線使用状態では、ＢＴＳ２１とＭＳ２２とがケーブル接続されることにより、無線環境における信号劣化を無くすことができ、無線環境が使用される通常使用状態と比べて通信品質を向上させることができるため、ターボ復号が使用される場合には、復号処理セレクタ部１１によりデータ取り出し処理を選択することで、ターボ復号に関する処理時間を低減させることができ、本例のように安価な処理機能を用いても、全ての通信カテゴリを適用することが可能となる。
【００３６】
図４には、本例の復号部８により行われる処理（データの復号に関する処理）の手順の一例を示してある。
まず、信号処理セレクタ部１１は、条件分岐の処理として、ターボ復号／ビタビ復号の選択と無線／有線の選択を行う。
具体的には、信号処理セレクタ部１１は、逆拡散部７から入力されるデータについて、符号形式（Ｃｏｄｉｎｇ  Ｔｙｐｅ）がターボ（Ｔｕｒｂｏ）であるか否か、つまり、復号方式としてターボ復号を使用するか否かを判定して選択する（ステップＳ１）。
これにより、ターボ復号を使用しないことが判定されて選択された場合には、信号処理セレクタ部１１による制御により、ビタビ復号処理部１２がビタビ復号の処理を行い（ステップＳ２）、復号処理を完了する。
【００３７】
一方、ターボ復号を使用することが判定されて選択された場合には、復号処理セレクタ部１１は、無線であるか或いは有線であるか、つまり、データを受信する対象となるＭＳ２２との通信モードが無線通信するモードであるか或いは有線通信するモードであるかを判定して選択する（ステップＳ３）。
これにより、無線通信するモードであることが判定されて選択された場合には、信号処理セレクタ部１１による制御により、ターボ復号処理部１３がターボ復号の処理を行い（ステップＳ４）、復号処理を完了する。
【００３８】
一方、有線通信するモードであることが判定されて選択された場合には、信号処理セレクタ部１１による制御により、データ取り出し処理部１４がデータ取り出しの処理を行い（ステップＳ５〜ステップＳ９）、復号処理を完了する。
【００３９】
データ取り出し処理の具体例を示す。Ｎは、２以上の整数であるとし、本例では、十分に大きい値であるとする。
本例のＭＳ２２では、入力データ列が｛ｏ（１），ｏ（２），ｏ（３），・・・，ｏ（Ｎ−１）｝である場合に、ターボ符号化を行うと、トレリス終端処理の前までの入力データ列｛ｏ（１），ｏ（２），ｏ（３），・・・，ｏ（Ｎ−４）｝が、出力データ列｛ｃ（１），ｃ（２），ｃ（３），・・・，ｃ（３Ｎ−１）｝中の｛ｃ（１），ｃ（３），ｃ（６），・・・｝にマッピングされるとする。また、トレリス終端処理において、その入力データ列｛ｏ（Ｎ−３），ｏ（Ｎ−２），ｏ（Ｎ−１）｝が、出力データ列｛・・・、ｃ（３Ｎ−１２），ｃ（３Ｎ−１１），ｃ（３Ｎ−１０），ｃ（３Ｎ−９），ｃ（３Ｎ−８），ｃ（３Ｎ−７），ｃ（３Ｎ−６），ｃ（３Ｎ−５），ｃ（３Ｎ−４），ｃ（３Ｎ−３），ｃ（３Ｎ−２），ｃ（３Ｎ−１）｝中の｛ｃ（３Ｎ−１２），ｃ（３Ｎ−１０），ｃ（３Ｎ−８）｝にマッピングされるとする。
【００４０】
ターボ復号が選択されて且つケーブル接続により有線通信が選択された場合には、本例では、信号劣化が無いとみなして、データ取り出し処理部１４により、逆拡散部７から入力されたデータの列（符号化後のデータ列）について、符号化前のデータ列がマッピングされている部分を取り出す処理を行う。
【００４１】
まず、初期化処理として、ループ回数として（データサイズ−３）を設定し、ｉｎｄｅｘ＝０を設定する（ステップＳ５）。ここで、データサイズとしては例えば復号対象となるデータ列を構成するデータ値の数（要素の数）が用いられ、ｉｎｄｅｘはパラメータである。
そして、設定されたループ回数だけ（ステップＳ６、ステップＳ８）、データ取り出し処理として、（ｉｎｄｅｘ×３）番目の入力値である入力［ｉｎｄｅｘ×３］を（ｉｎｄｅｘ）番目の出力値である出力［ｉｎｄｅｘ］に代入することを行ってｉｎｄｅｘの値を１だけ増加させる処理を行う（ステップＳ７）。ここで、入力値は逆拡散部７から入力される復号対象となるデータ値（符号化後のデータ値）を表しており、出力値は制御部１へ出力するデータ値（取り出し処理後のデータ値）を表している。
このように、トレリス終端処理の前までは、データ取り出し処理による出力データ列のｉｎｄｅｘを３倍した箇所を入力データ列から取り出す。
【００４２】
トレリス終端処理においては、最後の３個の入力値について、順に、（ｉｎｄｅｘ×３）番目の入力値である入力［ｉｎｄｅｘ×３］を（ｉｎｄｅｘ）番目の出力値である出力［ｉｎｄｅｘ］に代入することを行ってｉｎｄｅｘの値を１だけ増加させ、（ｉｎｄｅｘ×３−１）番目の入力値である入力［ｉｎｄｅｘ×３−１］を（ｉｎｄｅｘ）番目の出力値である出力［ｉｎｄｅｘ］に代入することを行ってｉｎｄｅｘの値を１だけ増加させ、（ｉｎｄｅｘ×３−２）番目の入力値である入力［ｉｎｄｅｘ×３−２］を（ｉｎｄｅｘ）番目の出力値である出力［ｉｎｄｅｘ］に代入することを行い（ステップＳ９）、これにより、出力データ列を入力データ列から取り出す。
【００４３】
以上のように、本例の通信システムでは、Ｗ−ＣＤＭＡ用の携帯端末装置（ＭＳ）２２がある程度限定されるホームユース向けのＷ−ＣＤＭＡ用の無線基地局装置（ＢＴＳ）２１において、ＭＳ２２を有線ケーブル２３で接続するための有線接続口６と、ターボ復号／ビタビ復号の選択と無線／有線の選択を行う復号処理セレクタ部１１と、ターボ復号及び有線が用いられる時にはターボ復号の代わりに所定のデータ部分を取り出すデータ取り出し処理部１４と、ターボ復号及び無線が用いられる時にはターボ復号を行うターボ復号処理部１３と、それ以外の時にはビタビ復号を行うビタビ復号処理部１２を備えた。
【００４４】
そして、本例では、ターボ復号が選択され、且つ、有線通信が行われる場合（例えば、有線の接続状態の有無によって有線通信の有無を判定する構成では、ＢＴＳ２１とＭＳ２２とが有線ケーブル２３で接続されている場合）には、復号処理セレクタ部１１によりデータ取り出し処理部１４を選択してデータ取り出し処理を行わせることで、ターボ復号処理部１３によりターボ復号の処理が行われるときと比べて処理量を低減させ、これにより、本例のように安価な処理機能が用いられても、ＨＳＵＰＡの全ての通信カテゴリを適用可能にする。
【００４５】
従って、本例では、ＢＴＳ２１とＭＳ２２を有線ケーブル２３で直接的に接続することで、無線環境時において発生する信号劣化を無くして（或いは、低減させて）、ターボ復号の処理の代わりにデータ取り出し処理を行って、ターボ復号の処理の負荷を大幅に低減させることにより、例えば、安価なＤＳＰ等を用いた場合においても、全ての通信カテゴリを適用可能とするＢＴＳ（本例では、ｆｅｍｔｏＢＴＳ）を実現することができる。このように、本例のＢＴＳ２１では、全ての通信カテゴリに適用可能とすることと安価とすることの両立を実現することができる。
【００４６】
なお、本例の無線基地局装置２１では、携帯端末装置（ＭＳ）２２が通信相手となる端末装置であり、また、ＴＲＸ４やアンテナ５などにより無線通信する機能により無線通信手段が構成されており、ＴＲＸ４などにより有線通信する機能により有線通信手段が構成されており、復号処理セレクタ部１１の機能により復号方式判定手段や無線／有線の通信判定手段が構成されており、データ取り出し処理部１４の機能によりデータ取り出し手段が構成されている。
また、本例の無線基地局装置２１では、無線／有線の通信モードを切り替える機能により通信モード切替手段が構成されており、ビタビ復号／ターボ復号の復号方式を切り替える機能により復号方式切替手段が構成されており、ターボ復号処理部１３の機能によりターボ復号手段が構成されており、ビタビ復号処理部１２の機能によりターボ復号方式以外の復号方式の復号手段が構成されている。
【００４７】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００４８】
【図１】本発明の一実施例に係る無線基地局装置（ＢＴＳ）の構成例を示す図である。
【図２】ＢＴＳとＭＳとが無線通信する状態（通常使用状態）の一例を示す図である。
【図３】ＢＴＳとＭＳとが有線通信する状態（有線使用状態）の一例を示す図である。
【図４】復号部により行われる処理の手順の一例を示す図である。
【符号の説明】
【００４９】
１・・制御部、  ２・・符号部、  ３・・拡散部、  ４・・ＴＲＸ、  ５、３１・・アンテナ、  ６・・有線接続口、  ７・・逆拡散部、  ８・・復号部、  １１・・復号処理セレクタ部、  １２・・ビタビ復号処理部、  １３・・ターボ復号処理部、  １４・・データ取り出し処理部、  ２１・・ＢＴＳ、  ２２・・ＭＳ、  ２３・・有線ケーブル、
【図１】
2009147510.tif 000003
【図２】
2009147510.tif 000004
【図３】
2009147510.tif 000005
【図４】
2009147510.tif 000006